(57)【要約】【課題】筆記先端をシールするシール部を有するエアータイト式筆記具において、シール部の接触部を減少し、かつ操作時に擬音を発しないようにする。【解決手段】本体１に前進、後退するよう筆記体３が挿入されている。筆記体の先端部をシールするシール部４が本体内に設けられている。筆記体にはシール用突出部６０が設けられ、後退位置にあるときシール部のシール用内面突起７４に当接する。シール部３は前後動可能であり、ばね７２で前方に付勢されている。【選択図】図１
2015100995.tif 000002
【特許請求の範囲】
【請求項１】
筆記体を本体内に前後動可能に挿入し、筆記先端が本体内に収納されているとき蓋片を閉鎖して該筆記先端をシールし筆記体が前進するとき蓋片を開放して筆記先端の突出を許容するシール部を本体の内部に所定範囲内で前後動可能に設けたエアータイト式筆記具において、上記筆記具は外周にシール用突出部を有し、筆記体が後退するとき上記シール用突出部に当接するシール用内面突起を上記シール部に形成し、該シール部を前方に付勢するばねを設けたことを特徴とするエアータイト式筆記具。
【請求項２】
上記シール部は上記筆記体の外面に摺接する弾性つめを有し、上記筆記体が後退するとき該弾性つめがシール用突出部に係合してシール部が筆記体とともに後退するようにした請求項１に記載のエアータイト式筆記具。
【請求項３】
上記筆記体はリードチューブを有し、該リードチューブには上記弾性つめが摺動する平面部が形成されている請求項２に記載のエアータイト式筆記具。
【請求項４】
上記シール部は、筆記先端を囲むホルダーと、該ホルダーに挿入された筒状シールを含み、ホルダーには前進した際該筒状シールの開口を開放し後退した際筒状シールの開口を閉鎖する蓋片が設けられている請求項１から３のいずれかに記載のエアータイト式筆記具。
【請求項５】
上記本体は長溝を有しかつ先部にはテーパー部材が設けられ、上記ホルダーは本体の上記長溝内を摺動するガイド突起を有し、該ホルダーは該ガイド突起が上記テーパー部材に当たる位置まで前進し上記長溝の後端に当たる位置まで後退可能である請求項４に記載のエアータイト式筆記具。
【発明の詳細な説明】
【技術分野】
【０００１】
本発明は、マーカーその他の揮発性や乾燥性のあるインキを使用した筆記体を、本体から出没させて筆記する形式の筆記具において、筆記体の先端を非筆記時にシールできるようにしたエアータイト式筆記具に係るものである。
【背景技術】
【０００２】
マーカー、水性インキペン、水性ボールペン、修正ペン、蛍光ペン等の揮発性や乾燥性のあるインキを使用する筆記体を、本体から出没させて筆記する筆記具が知られている。このような筆記具では、本体の先端に筆記具の先部を囲む開閉式のシール部を設け、筆記の際に自動的に開口して筆記先端を突出させる形式のエアータイト機構が用いられている
(例えば特許文献１参照)。シール部の構成として種々の機構が知られているが、特許文献１に記載の装置は、本体内に前後動可能にホルダーを設け、該ホルダー内にスリーブ部材を装着し、ホルダーの先部に蓋体を形成してある。筆記体が後退して筆記先端が収納位置にあるとき、蓋体はスリーブ部材の開口部を閉鎖するとともに筆記体に設けた首部がスリーブ部材に形成した嵌合部に嵌まって筆記先端の前部、後部がそれぞれシールされる。そして、筆記体を繰り出し機構により前進するとき、最初の段階ではスリーブ部材の嵌合部が筆記体の首部に嵌合しているのでシール部は筆記体によって前進する。前進の途中でホルダーの先端が先具の内段部に当接すると、シール部の前進動は停止する。筆記体はさらに前進するから、上記嵌合部と首部の嵌合が外れ、筆記体のみが前進し、筆記先端が先具の開口から突出して筆記することができる。
【０００３】
上記筆記具が突出位置から繰り出し機構により後退すると、後退の途中で上記首部がスリーブ部材の嵌合部に嵌合し、その後は筆記体とともにシール部が後退し、蓋体が閉鎖して筆記先端はシールされる。またシール部の後退動は先具に設けたつめにホルダーの段部が当たって停止する。
【０００４】
以上のように、従来のものは、筆記体に首部を設けてこの首部をスライド部材の嵌合部に嵌合させてシールし、筆記先端を突出させるときには、嵌合を外す構成になっている。つまり、図１８に示すように筆記体８０によりシール部８１を前進、後退させるために、筆記体８０の首部８２の前後に対応してシール体８１の内方に突出する突部を設けて嵌合部８３を形成しなければならないので、嵌合部８３での接触部が多くなり、気密性の確保がむずかしくなる。また、嵌合部８３に首部８２を嵌め合わせたり、嵌合を外す際に、嵌合部の内方への突出部分(アンダーカット部分) を首部が乗り越えるように筆記体を移動させなければならないので、パチンというような擬音を発し、使用感がよくない。
【先行技術文献】
【特許文献】
【０００５】
【特許文献１】特開２００７−２０３６８２号公報（段落０００８、０００９、００１３、図１）
【発明の概要】
【発明が解決しようとする課題】
【０００６】
本発明の解決課題は、マーカーその他の乾燥性や揮発性のあるインキ成分を有する筆記体を本体から繰り出して筆記し、筆記体が後退するとき筆記体の先端部をシールするシール部を具備するエアータイト式筆記具において、筆記体とシール部の接触部を少なくしかつ筆記体が前進、後退するときパチンというような擬音が発生しないようにしたエアータイト式筆記具を提供することである。
【課題を解決するための手段】
【０００７】
本発明によれば、筆記体を本体内に前後動可能に挿入し、筆記先端が本体内に収納されているとき蓋片を閉鎖して該筆記先端をシールし筆記体が前進するとき蓋片を開放して筆記先端の突出を許容するシール部を本体の内部に所定範囲内で前後動可能に設けたエアータイト式筆記具において、上記筆記具は外周にシール用突出部を有し、筆記体が後退するとき上記シール用突出部に当接するシール用内面突起を上記シール部に形成し、該シール部を前方に付勢するばねを設けたことを特徴とするエアータイト式筆記具が提供され、上記課題が解決される。
【０００８】
また、本発明によれば、上記シール部は上記筆記体の外面に摺接する弾性つめを有し、上記筆記体が後退するとき該弾性つめがシール用突出部に係合してシール部が筆記体とともに後退するようにした上記エアータイト式筆記具が提供される。
【発明の効果】
【０００９】
本発明は上記のように構成され、筆記体を本体内に前後動可能に挿入し、筆記先端が本体内に収納されているとき蓋片を閉鎖して該筆記先端をシールし筆記体が前進するとき蓋片を開放して筆記先端の突出を許容するシール部を本体の内部に所定範囲内で前後動可能に設けたエアータイト式筆記具において、上記筆記具は外周にシール用突出部を有し、シール部には筆記体が後退するとき上記シール用突出部に当接するシール用内面突起を形成し、該シール部を前方に付勢するばねを設けたから、筆記先端が本体内に収納されている状態では蓋片がシール部に当たって前部が閉鎖されるとともにシール用突出部がシール用内面突起に当接しかつばねでシール部が前方にばねで付勢されているので、シール用突出部とシール用内面突起が密着してシール部の後部も確実にシールされる。そして、筆記体が前進するとき、ばねの作用でシール部は前進し、シール部の前進が停止したとき、上記シール用突出部はシール用内面突起から離れ、筆記体のみが前進し、筆記することができる。
【００１０】
また、筆記体が後退するときは、シール部に設けた弾性つめがシール用突出部に当たるとシール部は筆記体とともに後退して蓋片が開口部を閉鎖し、シール部の後退動が止まると、筆記体に設けたシール用突出部がシール部に設けたシール用内面突起に当たってシールすることができる。
【図面の簡単な説明】
【００１１】
【図１】本発明の一実施例を示す断面図。
【図２】本体を示し（Ａ）は平面図、（Ｂ）は正面図、（Ｃ）は回り止め突起に沿った断面図、(Ｄ)は受孔に沿った断面図、(Ｅ)は左側面図、(Ｆ)は右側面図、(Ｇ)は図(Ｃ)のＧ−Ｇ線断面図。
【図３】テーパー部材を示し（Ａ）は正面図、（Ｂ）は底面図、(Ｃ)は断面図、(Ｄ)は左側面図、(Ｅ)は右側面図。
【図４】作動カムを示し、（Ａ）は平面図、（Ｂ）は正面図、(Ｃ)は断面図、(Ｄ)は左亜側面図、(Ｅ)はカム面の展開説明図。
【図５】キャップを示し、（Ａ）は平面図、（Ｂ）は正面図、(Ｃ)は断面図、(Ｄ)は左側面図。
【図６】内方カムを示し、（Ａ）は正面図、（Ｂ）は断面図、(Ｃ)は右側面図、(Ｄ)はカム面の展開図。
【図７】本体に内方カムを組み込んだ状態の断面図。
【図８】本体と内方カムの関係を示し、（Ａ）は筆記先端を本体内に収納した状態の説明図、(Ｂ)は筆記先端を突出させて筆記する状態の説明図。
【図９】インクタンクを示し、（Ａ）は平面図、（Ｂ）は断面図、(Ｃ)は左側面図、(Ｄ)は右側面図。
【図１０】リードチューブを示し、(Ａ)は平面図、(Ｂ)は正面図。
【図１１】チップの正面図。
【図１２】ホルダーを示し、(Ａ)は平面図、(Ｂ)は正面図、(Ｃ)は断面図、(Ｄ)は左側面図、(Ｅ)は右側面図。
【図１３】筒状シールを示し、(Ａ)は平面図、(Ｂ)は正面図、(Ｃ)は底面図、(Ｄ)は断面図、(Ｅ)は左側面図。
【図１４】筒状シールとリードチューブの接触部の一部を拡大して示す説明図。
【図１５】図１に示す状態から筆記体が少し前進した状態の説明図。
【図１６】図１５に示す状態からさらに筆記体が前進し、シール部の蓋片が開いた状態の説明図。
【図１７】筆記先端が本体から突出している筆記状態を示す説明図。
【図１８】従来のシール部のスリーブ部材と筆記体の接触部の一部を拡大して示す説明図。
【発明を実施するための形態】
【００１２】
エアータイト式筆記具は、シール部を設けた本体内に筆記体を収納し、この筆記体を繰り出し機構により本体から繰り出すよう構成されている。この繰り出し機構としては、ノックボタンによる回転カム式機構その他適宜の機構を採用することもできるが、図１においては回転体を回転する回転式繰り出し機構を採用した本発明の一実施例が示されている。図１において、本発明のエアータイト式筆記具は、筒状の本体１と、本体１の後端に回転可能に設けた作動カム２と、作動カム２の回転により本体１の軸方向に進退する筆記体３と、筆記体の先端部をシールするシール部４を具備している。実施例において、本体１は、断面略正三角形に形成され、先部にテーパー部材５を連結するための小径部６を有し、該小径部６の外面には環状の係止突起７と、軸方向に対向して延びる回り止め突起８があり、内面には軸方向に延びる回り止めリブ９と長溝１０が形成されている。段部１１を介して小径部６より外径、内径が広がる本体の大径部１２の内面には軸方向に延びる制御リブ１３と停止リブ１４が対向状態に形成され、該制御リブ１３の内方端は停止リブ１４の内方端より後方に長さ(α)延びている。また、本体の後部内面には作動カム２を回動可能に係止するための環状突起１５と受孔１６が形成されている。
【００１３】
上記テーパー部材５は、図３に示すように、先端に筆記体３の先端が出没する開口１７を有する先細の筒状体であって、上記本体１の外形状と同じ形状、図に示す実施例では断面略正三角形状に形成されており、一側に逃げ孔１８とこの逃げ孔１８の外方部分に対向して起立させた起立片１９を設けてある。該テーパー部材５の内面には、上記逃げ孔１８の側方から後方に向けて延びるつめ片２０が設けられ、逃げ孔１８と対向する位置には、平面部２１が形成されている。また、上記本体１の小径部６に形成した回り止め突起８が挿入される受孔２２と小径部の上記係止突起７と係合する係止突起２３が設けられている。
【００１４】
上記作動カム２は、ねじ状のカム溝２４を形成するよう内方カム２５と組み合される。該作動カム２は、図４に示すように、前方部分が上記本体１に挿入できるような筒状に形成され、上記本体１の外形状に合わせて断面略正三角形状に設けられている。この前方部分には、カム溝２４を形成するための傾斜面２６と、内方カム２５と当接する当たり面２７と、噛み合わせのための凹部２８が設けられている。作動カム２の外周面には、上記本体１の環状突起１５に回転可能に係合する係合突起２９と、上記本体１の受孔１６に係合する環状突起３０と、本体１の後端に当接するフランジ３１があり、フランジ３１から後方に向かって孔３２を有するつまみ片３３及び環状の係止突起３４が設けられている。上記カム溝２４の長さは、１８０度回転させる間に、上記筆記体３の筆記先端を突出位置に前進させ、若しくは反転させて筆記位置から収納位置に後退できる長さに形成される。
【００１５】
上記作動カム２の後端には、キャップ３５が装着されている。キャップ３５は図５に示すように、後端が閉塞された筒状に形成され、上記作動カム２と同様に断面略正三角形に設けられ、上記作動カム２のつまみ片３３を受け入れる凹部３６と、作動カム２の係止突起３４に係合する係止突起３７が設けられている。
【００１６】
内方カム２５は、図６に示すように、上記本体１内に回転可能に挿入される外径を有し、作動カム２側にカム溝２４を構成する傾斜面３８が形成され、かつ上記作動カム２の当たり面２７に当接する当たり面３９と上記凹部２８に係合する連結突起４０を有し、上記当たり面２７，３９が当接することにより上記カム溝２４の幅が規制される。
【００１７】
作動カム２には、回転開始の位置と回転終了の回動位置を規制するための規制部材が設けられている。図に示す実施例では、内方カム２５の内方端側に切欠き部４１を形成し、該切欠き部４１の一方端４２と他方端４３を１８０度対向した位置に設け、図７に示すように、上記本体１内に設けた制御リブ１３の先端が該切欠き部４１に入り込むようにしてある。これにより、図８に示すように、作動カム２は、切欠き部４の一方端４２が制御リブ１３に当たる位置から、切欠き部４１の他方端４３が制御リブ１３に当たる位置まで回転可能である。なお、切欠き部４１の深さは、内方カム２５をその内方端が上記本体１の停止リブ１４に当たる位置まで挿入したとき、上記制御リブ１３の先端が切欠き部４１に入り込むよう上記長さ(α)を考慮して設けられる。
【００１８】
上記筆記体３は、インクを蓄積する棒状の中綿４４を収納するインクタンク４５(図９参照)と、インクタンク４５に接続されるリードチューブ４６(図１０参照)と、該リードチューブ４６に挿入され先端に筆記先端４７を有し後端に上記中綿４４に差し込まれる差込端４８を有するチップ４９(図１１参照)で構成されている。上記インクタンク４５は、図９に示すように、上記作動カム２のカム溝２４に係合する案内ピン５０を外周に有し、先端には環状の係止突起５１と、前方に延びる係止つめ５２と係止溝５３が設けられている。上記リードチューブ４６は、図１０に示すように、一端が上記インクタンク４５を挿入できるよう径大部５４に形成され、径大部５４の内面には、上記インクタンク４５の係止つめ５２と係止溝５３に組み込まれる内方突起５５と、上記環状の係止突起５１に係合する係止突起５６が設けられている。上記リードチューブ４６の径大部の外面には、軸方向に延びる摺動溝５７が形成され、該摺動溝５７が上記本体１の制御リブ１３及び停止リブ１４に入り込むことによりリードチューブ４６は回転することなく軸方向に移動可能である。また、リードチューブ４６の前方の小径部５８には平面部５９と環状のシール用突出部６０が形成され、先端には小さな凹部６１が設けられている。
【００１９】
上記シール部４には、筆記先端４７が本体１内に収納されているとき、該筆記先端４７をシールし、筆記体３が前進するときシールを開放して筆記先端４７の突出を許容する。該シール部４は、好ましくは硬質プラスチック材料等で形成されたホルダー６２(図１２参照)と、該ホルダー６２内に収納され好ましくは軟質プラスチック材料等で形成された筒状シール６３(図１３参照)で構成されている。ホルダー６２は、図１２に示すように、上記本体１の小径部６に摺動可能に挿入できる外径に形成され、後端に上記リードチューブ４６の外面の平面部５９を摺動しかつシール用突出部６０の側面に係合してリードチューブ４６とともにホルダー６２を後退させることができるよう弾性つめ６４が設けられている。ホルダー６２の側面には上記本体１の小径部６の内面に設けた回り止めリブ９に摺動可能に係合する受溝６５および本体１の長溝１０に摺動可能に係合するガイド突起６６がある。ホルダー６２は、所定範囲内で前後動可能に本体内に保持されている。図に示す実施例では上記ガイド突起６６が、上記テーパー部材５の平面部２１の端面に当接する位置まで前進し、本体の上記長溝１０の後端に当たる位置まで後退する。ホルダー６２の前部は、傾斜面６７に形成され、開閉可能な蓋片６８がヒンジ６９を介して形成され、蓋片６８の裏面には側面に段部を形成した押圧リブ７０が設けられている。上記傾斜面６７の一部には凹部７１が設けられている。上記ホルダー６２は上記本体１の小径部６に摺動可能に挿入され、本体１の段部１１と上記ガイド突起６６の間には、ホルダー６２を前方に付勢するようばね７２を設けてある。
【００２０】
上記筒状シール６３は、前方、後方が開口し、上記ホルダー６２に内装され、後部に上記ホルダー６２の後端に係止される係止突起７３があり、内面には上記筆記体３が本体１内に収納されたときリードチューブ４６のシール用突出部６０に当接してリードチューブ４６の外周をシールするシール用内面突起７４が環状に設けられている。また、筒状シール６３の先端にはホルダー６２の傾斜面６７の周囲縁に係合する突部７５と上記傾斜面６７の凹部７１に係合する突起部７６が設けられ、筒状シール６３を回転不能状態で上記ホルダー６２に装着してある。
【００２１】
而して、上記構成により筆記先端４７が本体１内に収納され、蓋片６８により筒状シールの開口が閉鎖され、シール用突出部６０とシール用内面突起７４が当接している状態では、シール部４により該筆記先端４７はシールされ乾燥が防止されている。このときの筒状シール部とリードチューブの関係は、図１４に示すように、筒状シール６３のシール用内面突起７４にリードチューブ４６のシール用突出部６０が当接した状態になっており、接触部が従来のものより少ない。また、本体１と作動カム２の当接部の外形状はほぼ一致している。
【００２２】
この状態からつまみ片３３を案内として作動カム２を回転すると、カム溝２４が回転するから、案内ピン５０を介してインクタンク４５、リードチューブ４６、チップ４９を含む筆記体３が前進し、シール部４はばね７２の作用で筆記体と一緒に前進を始める(図１５参照)。このとき、従来のように嵌合部を外す構成ではないので、嵌合が外れる際のパチンというような擬音が生じない。シール部４の押圧リブ７０がテーパー部材５のつめ片２０に当たると、図１６に示すように、押圧リブ７０を逃げ孔１８に入り込ませながら蓋片６８が開放される。このときシール部４の前進は、ホルダー６２のガイド突起６６がテーパー部材５の平面部２１の端面に当たって停止し、筆記先端４７がテーパー部材５の開口１７から突出する(図１７参照)。上記案内ピン５０はカム溝２４に沿って前端側に移動しており、本体１と作動カム２の当接部の外形状がずれている。
【００２３】
図１７に示す状態から作動カム２を逆方向に回転すると、上述とは逆に、筆記体３は後退し、ホルダー６２の弾性つめ６４がリードチューブのシール用突出部６０の側面に係止するとシール部４は筆記体３とともに後退する。その結果、押圧リブ７０がテーパー部材５の内面に摺接し蓋片６８は回動して閉まり始める(図１６、図１５)。筆記先端４７がシール部４内に完全に収納され、蓋片６８が筒状シール６３の開口を閉鎖し、ホルダー６２のガイド突起６６が長溝１０の後端にあたると、シール部４の後退動は停止する。そして、シール用突出部６０とシール用内方突起７４が密着してシールが完了した状態になると、図１に示す状態の戻り、作動カム２の回転は停止する。このとき、上記シール用突出部６０とシール用内面突起７４を嵌合させる構成ではないので、従来のような嵌め合わせの際の擬音を発生することがない。
【００２４】
上記実施例では本体１と作動カム２の断面形状を、略正三角形に形成したが、略断面正三角形以外の断面多角形や楕円形その他の円形以外の異形形状にすることができる。また、本体と作動カムに適宜の指示マークを設けて作動カムの回転開始の位置と回転終了の位置で指示マークにより回転終了位置が分かるようにしてもよい。
【符号の説明】
【００２５】
１    本体
２    作動カム
３    筆記体
４    シール部
５    テーパー部材
１３  制御リブ
２４  カム溝
２５  内方カム
３５  キャップ
４５  インクタンク
４６  リードチューブ
４７  筆記先端
４９  チップ
５０  案内ピン
６０  シール用突出部
６２  ホルダー
６３  筒状シール
６４  弾性つめ
６６  ガイド突起
６８  蓋片
７０  押圧リブ
７２  ばね
７４  シール用内面突起
【図１】
2015100995.tif 000003
【図２】
2015100995.tif 000004
【図３】
2015100995.tif 000005
【図４】
2015100995.tif 000006
【図５】
2015100995.tif 000007
【図６】
2015100995.tif 000008
【図７】
2015100995.tif 000009
【図８】
2015100995.tif 000010
【図９】
2015100995.tif 000011
【図１０】
2015100995.tif 000012
【図１１】
2015100995.tif 000013
【図１２】
2015100995.tif 000014
【図１３】
2015100995.tif 000015
【図１４】
2015100995.tif 000016
【図１５】
2015100995.tif 000017
【図１６】
2015100995.tif 000018
【図１７】
2015100995.tif 000019
【図１８】
2015100995.tif 000020
【手続補正書】
【提出日】平成26年10月2日(2014.10.2)
【手続補正１】
【補正対象書類名】明細書
【補正対象項目名】００１１
【補正方法】変更
【補正の内容】
【００１１】
【図１】本発明の一実施例を示す断面図。
【図２】本体を示し（Ａ）は平面図、（Ｂ）は正面図、（Ｃ）は回り止め突起に沿った断面図、(Ｄ)は受孔に沿った断面図、(Ｅ)は左側面図、(Ｆ)は右側面図、(Ｇ)は図(Ｃ)のＧ−Ｇ線断面図。
【図３】テーパー部材を示し（Ａ）は正面図、（Ｂ）は底面図、(Ｃ)は断面図、(Ｄ)は左側面図、(Ｅ)は右側面図。
【図４】作動カムを示し、（Ａ）は平面図、（Ｂ）は正面図、(Ｃ)は断面図、(Ｄ)は左側面図、(Ｅ)はカム面の展開説明図。
【図５】キャップを示し、（Ａ）は平面図、（Ｂ）は正面図、(Ｃ)は断面図、(Ｄ)は左側面図。
【図６】内方カムを示し、（Ａ）は正面図、（Ｂ）は断面図、(Ｃ)は右側面図、(Ｄ)はカム面の展開図。
【図７】本体に内方カムを組み込んだ状態の断面図。
【図８】本体と内方カムの関係を示し、（Ａ）は筆記先端を本体内に収納した状態の説明図、(Ｂ)は筆記先端を突出させて筆記する状態の説明図。
【図９】インクタンクを示し、（Ａ）は平面図、（Ｂ）は断面図、(Ｃ)は左側面図。
【図１０】リードチューブを示し、(Ａ)は平面図、(Ｂ)は断面図、(Ｃ)は左側面図、(Ｄ)は右側面図。
【図１１】チップの正面図。
【図１２】ホルダーを示し、(Ａ)は平面図、(Ｂ)は正面図、(Ｃ)は断面図、(Ｄ)は右側面図、(Ｅ)は左側面図。
【図１３】筒状シールを示し、(Ａ)は平面図、(Ｂ)は正面図、(Ｃ)は底面図、(Ｄ)は断面図、(Ｅ)は左側面図。
【図１４】筒状シールとリードチューブの接触部の一部を拡大して示す説明図。
【図１５】図１に示す状態から筆記体が少し前進した状態の説明図。
【図１６】図１５に示す状態からさらに筆記体が前進し、シール部の蓋片が開いた状態の説明図。
【図１７】筆記先端が本体から突出している筆記状態を示す説明図。
【図１８】従来のシール部のスリーブ部材と筆記体の接触部の一部を拡大して示す説明図。
【手続補正２】
【補正対象書類名】明細書
【補正対象項目名】００１４
【補正方法】変更
【補正の内容】
【００１４】
上記作動カム２は、ねじ状のカム溝２４を形成するよう内方カム２５と組み合される。該作動カム２は、図４に示すように、上記本体１に回転可能に挿入できるような筒状に形成され、中間部分には本体１の外形状に合わせて断面略正三角形状に形成したフランジ３１が設けられている。この前方部分には、カム溝２４を形成するための傾斜面２６と、内方カム２５と当接する当たり面２７と、噛み合わせのための凹部２８が設けられている。作動カム２の外周面には、上記本体１の環状突起１５に回転可能に係合する係合突起２９と、上記本体１の受孔１６に係合する環状突起３０と、本体１の後端に当接する上記フランジ３１があり、フランジ３１から後方に向かって孔３２を有するつまみ片３３及び環状の係止突起３４が設けられている。上記カム溝２４の長さは、１８０度回転させる間に、上記筆記体３の筆記先端を突出位置に前進させ、若しくは反転させて筆記位置から収納位置に後退できる長さに形成される。
【手続補正３】
【補正対象書類名】明細書
【補正対象項目名】００１５
【補正方法】変更
【補正の内容】
【００１５】
上記作動カム２の後端には、キャップ３５が装着されている。キャップ３５は図５に示すように、後端が閉塞された筒状に形成され、外形状が断面略正三角形に設けられ、上記作動カム２のつまみ片３３を受け入れる凹部３６と、作動カム２の係止突起３４に係合する係止突起３７が設けられている。作動カムにキャップを装着すると、キャップは先端が上記フランジに当接し、作動カムの外観は、本体の外形状と同様に断面略正三角形状となる。
【手続補正４】
【補正対象書類名】明細書
【補正対象項目名】００１７
【補正方法】変更
【補正の内容】
【００１７】
作動カム２には、回転開始の位置と回転終了の回動位置を規制するための規制部材が設けられている。図に示す実施例では、内方カム２５の内方端側に切欠き部４１を形成し、該切欠き部４１の一方端４２と他方端４３を１８０度対向した位置に設け、図７に示すように、上記本体１内に設けた制御リブ１３の先端が該切欠き部４１に入り込むようにしてある。これにより、図８に示すように、作動カム２は、切欠き部４１の一方端４２が制御リブ１３に当たる位置から、切欠き部４１の他方端４３が制御リブ１３に当たる位置まで回転可能である。なお、切欠き部４１の深さは、内方カム２５をその内方端が上記本体１の停止リブ１４に当たる位置まで挿入したとき、上記制御リブ１３の先端が切欠き部４１に入り込むよう上記長さ(α)を考慮して設けられる。
【手続補正５】
【補正対象書類名】明細書
【補正対象項目名】００１９
【補正方法】変更
【補正の内容】
【００１９】
上記シール部４は、筆記先端４７が本体１内に収納されているとき、該筆記先端４７をシールし、筆記体３が前進するときシールを開放して筆記先端４７の突出を許容する。該シール部４は、好ましくは硬質プラスチック材料等で形成されたホルダー６２(図１２参照)と、該ホルダー６２内に収納され好ましくは軟質プラスチック材料等で形成された筒状シール６３(図１３参照)で構成されている。ホルダー６２は、図１２に示すように、上記本体１の小径部６に摺動可能に挿入できる外径に形成され、後端に上記リードチューブ４６の外面の平面部５９を摺動しかつシール用突出部６０の側面に係合してリードチューブ４６とともにホルダー６２を後退させることができるよう弾性つめ６４が設けられている。ホルダー６２の側面には上記本体１の小径部６の内面に設けた回り止めリブ９に摺動可能に係合する受溝６５および本体１の長溝１０に摺動可能に係合するガイド突起６６がある。ホルダー６２は、所定範囲内で前後動可能に本体内に保持されている。図に示す実施例では上記ガイド突起６６が、上記テーパー部材５の平面部２１の端面に当接する位置まで前進し、本体の上記長溝１０の後端に当たる位置まで後退する。ホルダー６２の前部は、傾斜面６７に形成され、開閉可能な蓋片６８がヒンジ６９を介して形成され、蓋片６８の裏面には側面に段部を形成した押圧リブ７０が設けられている。上記傾斜面６７の一部には凹部７１が設けられている。上記ホルダー６２は上記本体１の小径部６に摺動可能に挿入され、本体１の段部１１と上記ガイド突起６６の間には、ホルダー６２を前方に付勢するようばね７２を設けてある。
【手続補正６】
【補正対象書類名】図面
【補正対象項目名】図８
【補正方法】変更
【補正の内容】
【図８】
2015100995.tif 000021